Podtech/llm-jp-corpus-v4-ja_patent huggingface dataset:
(57)【要約】【課題】チャイルドシートを卒業した年少者が自動車等に乗車中に寝てしまった際に左右に転倒したり、首が変に曲がり首筋を痛めるなど安眠とは程遠い状態であった。【解決手段】本考案はシート１の左右に頭部及び肩部サポート用のクッション２を設け、そのクッションが頭、肩をしっかりと支えることで睡眠中の態勢を適正に保ち左右への転倒や、首筋を痛める等の問題を解決することが出来る。座席への固定は、シート１の上部にベルト３を設け、そのベルトをヘッドレスト等に引っ掛けるだけで設置できるので、座席への着脱も容易である。【選択図】  図１
0003114505.tif 000002
【実用新案登録請求の範囲】
【請求項１】
年少者が車内で寝てしまった際に、左右へ倒れるのを防ぐ事を主たる目的とした、上半身のサポート付き背もたれシートであり、薄いクッションシートに頭部及び肩部を支える為のサポートクッションを両脇に設け、座席への着脱は上部に設けたベルトにて簡単に行う事が出来るよう工夫したものである。
【考案の詳細な説明】
【技術分野】
【０００１】  本考案は、シート両端部分に頭部及び肩部サポート用クッションを設けた、背もたれに関するものである。
【技術背景】
【０００２】  車などに乗車中の子供が寝た時に、そのまま横に倒れてしまったり、体勢を保てずに寝苦しそうであった。
【考案の開示】
【考案が解決しようとする課題】
【０００３】  チャイルドシートを卒業した子供はジュニアシートもしくは、直接座席に座るが、通常の座席では上半身のサポート性が乏しく、睡眠時に横に倒れたり、首が変に曲がったり、果ては室内に頭を打ちつけたりと安眠とは程遠い状態であった。
そこで上半身、主に頭部を保護しサポートするシートクッションを背もたれに敷く事により前述の欠点を解決しようとする物である。
【課題を解決するための手段】
【０００４】  本考案は、シート部分の左右に頭部サポート用クッションを設け、そのシートを背もたれとして予め座席背面に設置しておく事により、頭及び肩部をある程度固定し、着座中の子供が寝てしまった時に、体が左右に倒れるのを防ぎ、態勢を維持させる事で問題点を解決している。
【考案の効果】
【０００５】  上述の様に、本考案は頭及び肩を左右からサポートし体が横に倒れるのを防ぐので、従来品にあった首だけをサポートするクッションとは効果が大きく違う。
そして車用チャイルドシートから通常の座席へ移行の際への体のサポート不足の不安感を減らし、さらに飛行機や新幹線等に乗車の際にも簡易サポーターとして使用できる。
【考案を実施するための最良の形態】
【０００６】  薄いクッション素材のシートの左右に適度な硬さのサポート用クッションしっかりと縫い付ける。そしてシートの上部に座席への固定用のベルトを設置し、そのベルトをヘッドレスト等に引っ掛けて装着する。
この方法は脱着が容易な上、子供の成長に合わせて上下位置も変える事が出来る為、車に限らず引っ掛ける所があれば色々な場面で、子供の睡眠を守る事が出来る。
【実施例】
【０００７】  以下、添付図面に従って一実施例を説明する。１は薄いクッション素材の背もたれ用シート、２は適度な硬さを持つ頭部、肩部のサポート用クッション、クッションのサイズは視界の邪魔にならない程度の大きさで尚且つ、しっかりしたホールド感を出す為に柔らかすぎない素材を用いる。座席への装着はシート上部のベルト３にて行い、シートのヘッドレスト等に引っ掛けて固定する。
【図面の簡単な説明】
【０００８】
【図１】本考案のサポート付き背もたれシートの一実施例を示す正面図である。
【図２】本考案のシートを立てた状態で上方から見た図である。
【符号の説明】
【０００９】１  シート本体
２  頭部、肩部サポートクッション
３  座席装着用ベルト
【図１】
0003114505.tif 000003
【図２】
0003114505.tif 000004
【手続補正書】
【提出日】平成17年6月16日(2005.6.16)
【手続補正１】
【補正対象書類名】実用新案登録請求の範囲
【補正対象項目名】全文
【補正方法】変更
【補正の内容】
【実用新案登録請求の範囲】
【請求項１】
年少者が車内で寝てしまった際に、左右へ倒れるのを防ぐ事を主たる目的とした、座席用の背もたれのシートであり、薄いクッションシートに頭部及び肩部の上半身をを支える為のサポートクッションを両脇に設け、座席への着脱は上部に設けたベルトにて簡単に行う事が出来るようにしたサポート付き背もたれシート。
(57)【要約】【課題】クイックパンツ（ズボンの上から脱着出来る男女共用安心パンツ）但し、ズボンの上からの着用は２枚一組が原則（脱用と着用）必ず自分の胴回りと同じサイズを着用すること【解決手段】簡単、速いを要点として緊急時、災害時にも利用出来るよう公開したい【選択図】「図１」１ａ  １ｂ  １ｃ  １ｄ［図２」２ａ  ２ｂ  ２ｃ［図３」３ａ
0003114501.tif 000002
【実用新案登録請求の範囲】
【請求項１】
従来から下着であるパンツは、数十年を経てもその形態は余り変化しない物の一つである。
つまり、身につける時は衣類をぬぎ、素肌になってから両足を差し入れて身につける。
この定義は当然の事のように行なわれているのであるが、若年の頃には、素早く脱着出来ても老年にとっては、この行為が容易ではなく  出来れば簡単に操作出来るものが良いと考える。
要点は着衣を着けたままで失禁あるいは下着の取替が出来ること、つまり、ズボンをはいたままあるいは靴をはいたままでパンツの全面部のマジックテ−プ（登録商標）をはずし、パンツの上部開口部を広げ、その上から両足を入れパンツを上に持ち上げたのちズボンをさげ、パンツの前面部分を上に引上げマジックテ−プ（（登録商標）でワンタッチ式にとじる。
このパンツの材質は伸縮性のあるメリヤス布を主材料とし、部分的には尿失禁布を使用してあり、共に男女兼用となる。
以上をクイックパンツと称する。
注意点としてクイックパンツをズボンの上から着装する時は、すでにもう一枚の脱用クイックパンツを着けて居なければならない。更に用便の方法として、男性は前面のマジックテ−プ（登録商標）をはずすことなく、通常のパンツの方法で使用し、女性も通常のパンツ使用方法と同じである。男女共にマジックテ−プ（登録商標）付の前面内部の防水加工した布により腹部を温めるという利点もある。
以上の事柄によりクイックパンツの脱着以外は、従来のパンツ型に近い感触と形態を保つ事ができる。
【考案の詳細な説明】
【技術分野】
【０００１】脱ぐと云う従来の概念を取りさり、簡便かつ容易に人体に脱着出来る方法
【技術背景】
【０００２】社会背景に多い悩みと、新素材の利用価値が考案を広げた
【考案の開示】
【考案が解決しようとする課題】
【０００３】排泄物の素早い交換方法と、衛生上の解決（老若を問わない）災害時の効用
【課題を解決するための手段】
【０００４】良い形で普及したい（安価で良質、便利性）広報等でとりあげ災害時の、役立つ救援物資としての価値がある
【考案の効果】
【０００５】発想を転換して理想的である
【考案を実施するための最良の形態】
【０００６】良い生産者を見つける。実用新案として公に推薦して戴きたい
【実施例】
【０００７】電波による宣伝方法と大手メ−カ−の販売（国営メ−カ−）なら良い
【産業上の利用可能性】
【０００８】非常に高く普及型
0003114501.tif 000003
【図１】
0003114501.tif 000004
【図２】
0003114501.tif 000005
【図３】
0003114501.tif 000006
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
パンツ前面部に密着したマジックテープ（登録商標）を引き離す事によって股下が開き、着装後は元の状態にマジックテープ（登録商標）で閉じる事を特徴としたパンツである。
【手続補正２】
【補正対象書類名】明細書
【補正対象項目名】全文
【補正方法】変更
【補正の内容】
【考案の詳細な説明】
【技術分野】
【０００１】本考案は、ズボンを着けたまま下着を簡便に脱着すると云うのが基本である
【背景技術】
【０００２】従来の下着には、パンツの股間にボタン等で開口し用途に使用したものがある（例えば女性の生理ショーツ）又紙おむつを分解して、パンツ状に組立てるものがある（介護用品）
【考案の開示】
【考案が解決しようとする課題】
【０００３】本考案は従来の着衣を脱ぎ下着をつけると云う概念をとり、身体の不自由、冷寒場での脱着を緩和する為に、あえてズボンを着けたまま上下作動だけで脱着出来る事とした
【課題を解決しようとするための手段】
【０００４】この課題においては以上の如く熟老年配層が巾広く、介護迄を必要としない人の問題を考え、軽い尿失禁、防止材を使用している
【考案の効果】
【０００５】着装したまま下着の脱着が可能とすれば衛生上又は緊急時に効果的である
【考案を実施する為の最良の形態】
【０００６】本考案は従来の尿失禁パンツに伴い、これがズボンの上から脱着出来ると云う点にある
【実施例１】
【０００７】従来のショーツ型生理パンツ等の股下のボタンがはずれる形体では日常の使用に、ほとんど利用価値はなく、本考案はズボンの上から脱着しワンタッチで閉じると云う事を実施した。
【産業上の利用可能性】
【０００８】上述の如く着装のまま下着を脱着出来ると云う機能性においては、何かと多忙な世の中において利用可能性は必須である
【図面の簡単な説明】
【０００９】
【図１】パンツの使用時正面図
【図２】パンツの全解正面図
【図３】パンツの上部からの断面図
【符号の説明】
【０００１０】図１、パンツ使用時に最も伸縮と強度を必要とする、ゴム状伸縮性メリヤス１ａ、１ｄを主要ヶ所に縫着し、人体へのフィット感を高め更にメリヤス生地１ｃ、で表囲いのパンツ形成をなし、パンツ内部の股部には１ｂの部分に吸水性防止布を縫着する
図２、正面図ではパンツが全開とない２ｂの帯状部が下に下がり尿失禁の吸水を緩和する為に下部全面に吸水性防水布が縫着されている。更に帯状部の先端２ｃとパンツ腹部２ａには、マジックテープ（登録商標）が縫着され、パンツの上部から両足を差入れ股間に至る時帯状部を後方の下から腹部にかけて持ち上げ２ｃを２ａに接着させると云う状態になり共に腹部側に止着させる為の部材として構成されている。腹部のマジックテープ（商標登録）の長さは使用各人により、又男女の違いによって上下されると云う考えからである
図３、３ａはパンツ上部、伸縮性メリヤス部と腹部のふくらみを表したものである。
(57)【要約】【課題】飲食・排泄等生活の基盤であるケージの底部を、習性をもとに工夫する事により、フェレットが清潔に快適に安全に使用できるようなフェレット用飼育ケージを実現する。【解決手段】フェレット用飼育ケージの底部１に、飲食時用トレー２と排泄時用スノコ３を設置する。排泄時用スノコ３は手前部分３ａを上方向にめくる事ができ、飼育する者は毎日の掃除を簡潔に済ませる事ができる。この時、飲食時用トレー２は階段４を通じて主に寝場所として使用される二階部分５へとつながる様にする。また、スノコになれていない子供等のフェレットが使用する時の為に、排泄時用スノコ３と同サイズで片隅が排泄物が落ちるよう扇形に切断された板のパーツ６を備え、これを排泄時用スノコ３の上に設置する。この時、階段４と二階部分５は撤去する。【選択図】図１
0003114509.tif 000002
【実用新案登録請求の範囲】
【請求項１】
フェレット用飼育ケージの底部に、飲食時用トレーと排泄時用スノコを設置すること。
【請求項２】
排泄時用スノコと同サイズで片隅が扇形に切断された板のパーツを備えること。
【考案の詳細な説明】
【技術分野】
【０００１】本考案はフェレットを飼育するためのケージに関するものである。
【背景技術】
【０００２】従来のフェレット用飼育ケージには、底部に何もなく一面平坦なものや底部全体の大きさに合うスノコを取り付けるだけのものがある。
【考案の開示】
【考案が解決しようとする課題】
【０００３】飲食・排泄等、生活の基盤であるケージの底部を工夫する事により、フェレットが清潔に快適に安全に使用できるようなフェレット用飼育ケージを実現する。
【課題を解決するための手段】
【０００４】フェレット用飼育ケージの底部に飲食時用トレーと排泄時用スノコを設置し、飲食場と排泄場を完全に分ける。排泄時用スノコは手前部分を上方向にめくる事ができるようにし、排泄物の掃除をしやすくする。また、スノコになれていない子供等のフェレットが使用する時の為に排泄時用スノコと同サイズで片隅が排泄物が落ちるよう扇形に切断された板のパーツを備える。
【考案の効果】
【０００５】本考案は、フェレットが飲食場と排泄場を分け、排泄を四隅の決まった場所でするという習性を活かしたものである。フェレット用飼育ケージの飲食場と排泄場を完全に分ける事によりフェレットはケージを清潔に快適に使用できる。そして、スノコの手前部分が上方向にめくれるようにする事により、飼育する者は毎日の掃除を簡潔に済ませる事ができる。また、スノコの上に設置できる板のパーツを備えるのは、スノコになれていない子供等のフェレットが足を引っ掛けて骨折する等の事故を防ぐ為である。その片隅を排泄物が落ちる様に扇形に切断する事により、子供等のフェレットもケージを清潔に安全に使用できる。
【考案を実施するための最良の形態】
【０００６】本考案を実施するための最良の形態を図面を参照して説明する。図１に示すように、フェレット用飼育ケージの底部１に飲食時用トレー２と排泄時用スノコ３を設置する。排泄時用スノコ３の手前部分３ａは上方向にめくれるようにする。この時、飲食時用トレー２は階段４を通じて、主に寝場所として使用される二階部分５へとつながる様にする。【０００７】スノコになれていない子供等のフェレットがこのケージを使用する際には、図２に示すように、排泄時用スノコ３と同サイズで片隅が扇形に切断された板のパーツ６を、排泄時用スノコ３の上に設置する。この時、図１で示した階段４と二階部分５は撤去する。
【産業上の利用可能性】
【０００８】自明の為、記載しません。
【図面の簡単な説明】
【０００９】
【図１】本考案の実施の一形態を示した分解図である。
【図２】本考案の実施の他の一形態を示した分解図である。
【符号の説明】
【００１０】１    底部
２    飲食時用トレー
３    排泄時用スノコ
３ａ  排泄時用スノコの手前部分
４    階段
５    二階部分
６    片隅が扇形に切断された板のパーツ
【図１】
0003114509.tif 000003
【図２】
0003114509.tif 000004
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
飲食時用トレーと排泄時用スノコを、底部に組合せる構造を持つフェレット用飼育ケージ。
【請求項２】
飲食時用トレーと排泄時用スノコを、底部に組合せる構造を持つフェレット用飼育ケージに組合せできるように、その排泄時用スノコと同サイズで片隅が扇形に切断された板のパーツを備えたフェレット用飼育ケージ。
(57)【要約】【課題】  ストラップを携帯電話に取り付ける際、携帯電話のストラップ取り付け穴（部位）の形状、ストラップの取り付け紐の素材によって、困難な場合があった。本考案は、携帯電話へストラップを簡単に取り付けることを可能とする携帯電話用ストラップ通し補助具を提供するものである。【解決手段】上記の課題を解決するため、携帯電話用ストラップ通し補助具を考案し、強度、柔軟性のある素材で作成して、携帯電話のストラップ取り付け穴（部位）に直接通すことにより、携帯電話のストラップ取り付け穴（部位）の形状、ストラップの取り付け紐の素材に影響されずに、携帯電話へストラップを取り付けることを可能とするものである。また、携帯電話へストラップを取り付け後、不用となるため、取り外しが容易であることを特徴とする。【選択図】図１
0003114508.tif 000002
【実用新案登録請求の範囲】
【請求項１】
携帯電話へストラップを簡単に取り付けることを可能とする携帯電話用ストラップ通し補助具である。
【請求項２】
携帯電話へストラップ取り付け後、取り外し可能なことを特徴とする請求項１記載の携帯電話用ストラップ通し補助具である。
【考案の詳細な説明】
【技術分野】
【０００１】本考案は、携帯電話用ストラップ通し補助具に関する。
【背景技術】
【０００２】現在、携帯電話へのストラップの取り付けは、携帯電話の保護、アクセサリーの装着、使用時の利便性等の多岐の理由により、一般的となっている。
【考案の開示】
【考案が解決しようとしている課題】
【０００３】従来、携帯電話へストラップを取り付ける際、携帯電話のストラップ取り付け穴（部位）の形状、ストラップの取り付け紐の素材によって、困難な場合があった。
【課題を解決するための手段】
【０００４】上記の課題を解決するため、第一の考案は、先端部を楔型とする板状の携帯電話用ストラップ通し補助具である。携帯電話へストラップを取り付ける際は、この携帯電話用ストラップ通し補助具を携帯電話のストラップ取り付け穴（部位）に通して、ストラップを取り付ける。そのため、ストラップの取り付け紐をストラップ取り付け穴（部位）に直接通すことが無いので、ストラップの取り付け紐の素材に影響されない。また、素材に強度と柔軟性を持ったものを使用することにより、携帯電話のストラップ取り付け穴（部位）の形状に影響されずに、携帯電話へストラップを取り付けることが可能となる。
第二の考案は、携帯電話へストラップを取り付け後、簡単に取り外しが出来るようにストラップとの結合は、板状の１枚の部品を２等分に折り曲げ、中間部までしか粘着しない。全面を粘着していないため、容易に取り外しが可能となる。
【考案の効果】
【０００５】携帯電話へのストラップの取り付けが、容易となる。間接的には、携帯電話のストラップ取り付け穴（部位）のデザインの制約が、軽減される。また、携帯電話へ取り付ける場合のストラップの取り付け紐の素材の制限も軽減される。
【考案を実施するための最良の形態】
【０００６】この考案の一実施形態を図１に示す。
【図面の簡単な説明】
【０００７】
【図１】この考案の一実施形態を示す説明図である。
【図２】本考案の展開図である。
【符号の説明】
【０００８】１  ストラップ本体
２  携帯電話用ストラップ通し補助具（本考案）
３  携帯電話本体
４  ストラップ取り付け穴（部位）
５  中央線（折り曲げ線）
６  粘着部
【図１】
0003114508.tif 000003
【図２】
0003114508.tif 000004
【手続補正書】
【提出日】平成17年6月16日(2005.6.16)
【手続補正１】
【補正対象書類名】実用新案登録請求の範囲
【補正対象項目名】全文
【補正方法】変更
【補正の内容】
【実用新案登録請求の範囲】
【請求項１】
強度と柔軟性を持った素材を使用し、先端部を楔型とする板状の形態で、ストラップ取り付け紐に結合して、携帯電話のストラップ取り付け穴（部位）に直接通すことにより、ストラップの取り付け紐を携帯電話のストラップ取り付け穴（部位）に、容易に通すことを可能とすることを特徴とする携帯電話用ストラップ通し補助具
【請求項２】
取り外しを容易にするため、ストラップとの結合を板状の１枚の部品を２等分に折り曲げ、中間部までしか粘着しないことを特徴とする請求項１記載の携帯電話用ストラップ通し補助具
(57)【要約】（課題）本考案は歯ブラシ本体の毛先をスポンジに取り替え、歯周病の予防と舌苔の除去を容易に行える事を目的とする。（解決手段）本考案は歯ブラシ本体の毛先をスポンジに取り替え強力接着することにより歯周病の予防と舌苔の除去を容易に衛生的に行なうことに役立つ。口臭も防ぐ。【選択図】図１
0003114510.tif 000002
【実用新案登録請求の範囲】
【請求項１】
歯ブラシ本体一搬の先のもの所を、ある程度やわらかなスポンジで以前と同じ範囲の大きさのものを強力接着剤で付けスポンジ歯ブラシとし歯周病の予防と舌苔の除去に多大な効果があるものです。つまり歯周病の予防と口臭の除去に絶大の効果があるものです。
【考案の詳細な説明】
【技術分野】
【０００１】本考案は、歯ブラシの毛先をスポンジに取り替えた、歯ブラシに関するものである。
（背景技術）【０００２】従来は、歯周病の予防とか、口臭の原因となる舌苔の除去に手の指とか金具で舌苔を取っていました。
（考案の開示）
（考案が解決しようとする課題）【０００３】歯周病とか、口臭の原因となる舌苔の除去に、手の指とか金具を使うのは極めて不衛生であり、金具で行うと舌に傷がつきけがをしやすくなり原始的である。従って歯ブラシの機能つまり、奥までとかすみずみまで届く機能とスポンジを一体化することにより衛生的な歯周病の予防とやさしい舌苔のとり方が実行でき、それを解決しようとするものである。
（課題を解決するための手段）【０００４】本考案は、歯ブラシ本体を毛先とスポンジを取り替えることにより、衛生的かつ便利に歯周病の予防と舌苔の除去を行えるようになり、従来、指先とか金具を使って行なっていたものをスポンジ歯ブラシ１本で行なえるようになり、このことにより問題点を解決している。
（考案の効果）【０００５】上述の様に、本考案のスポンジ歯ブラシはスポンジに歯周病予防薬を付けることにより指先で付けることなく、衛生的に予防薬を歯ぐきに付けることができる。また舌をこすることにより舌苔の除去を容易に行えることができて衛生的かつ便利である。
（考案の実施するための最良の形態）【０００６】歯ブラシの先の手先をスポンジに取り替えて、強力接着剤により取り付けることにより、歯周病の予防の手入れ、舌苔の除去を簡易に行なうことができる。
（実施例）【０００７】以下、添付図面に従って一実施例を説明する。
１、耐久性のプラスチック等の適宣素材を柄にして柄の先に、２、スポンジを取り付ける。
【図面の簡単な説明】
【０００８】（図１）本考案のスポンジ歯ブラシの横面図である。
（図２）本考案のスポンジ歯ブラシの平面図である。
【符号の説明】
【０００９】１、プラスチックの歯ブラシの柄
２、スポンジ
【図１】
0003114510.tif 000003
【図２】
0003114510.tif 000004
【手続補正書】
【提出日】平成17年6月24日(2005.6.24)
【手続補正１】
【補正対象書類名】実用新案登録請求の範囲
【補正対象項目名】全文
【補正方法】変更
【補正の内容】
（書類名）実用新案登録請求の範囲
（請求項１）
歯ブラシの柄と前記歯ブラシの柄の先端にある程度やわらかなスポンジを設けた事を特徴とするスポンジ歯ブラシ。
(57)【要約】      （修正有）【課題】不器用で目薬液を上手に注す事が出来ない人、または自分で目薬液を注す事が出来ない乳幼児、及び身体の不自由な人に対し介護者が目薬液を注す時に、目を閉じてしまい上手く眼球に目薬液が入らない等の問題を、目薬液を注す際に同時に瞼が閉じないように固定する機能を持たせることで、容易、且つ確実に点眼を可能とする。【解決手段】目薬供給口４ｂが装着可能な本体部１と一体化した弁形状部２により構成され、目薬容器部４ａを持った状態にて、顔を略垂直上方に向け目薬液を注したい目を開いた状態にし、弁形状部２を開いた目の瞼５に接触させ、瞼５が閉じないように固定する。その後、目薬容器部４ａを押し潰し目薬液４ｃを点眼することで、不器用な人でも、片手で容易、且つ確実に目薬液をさすことが出来る。【選択図】図７
0003114573.tif 000002
【実用新案登録請求の範囲】
【請求項１】
目薬容器を装着する本体部及び、瞼が閉じないよう固定する複数の弁形状部から構成された、目薬注し補助具
【請求項２】
前記弁形状部と瞼との接触部は、溝もしくは複数の突起形状とし接触面の摩擦を大きくしたことを特徴とした請求項１に記載の目薬注し補助具
【考案の詳細な説明】
【技術分野】
【０００１】
本発明は、眼球に目薬液を容易注すことが可能な目薬注し補助具に関するものである。
【背景技術】
【０００２】
目薬液を注す場合、不器用な人などにとっては目薬液を何度も注し直したり、片手で瞼を固定し他方の手で目薬液を注すといった両手を使用しかつ容易な行為ではなかった。
【考案の開示】
【考案が解決しようとする課題】
【０００３】
不器用な人にとって目薬液を注すことは容易な行為ではなかった。したがって、目薬容器に装着でき目薬液を供給する際に、同時に瞼を固定できる機能持たせたことにより、前述の欠点を解決しようとするものである。
【課題を解決するための手段】
【０００４】
本発明は、目薬容器を装着する本体部及び、望ましくは弾性材料にて製造された瞼を固定する弁形状部から構成されており、目薬液を注す際に、目薬容器の供給口に本補助具を装着し、眼球上部より接近させると、本補助具の弁形状部が瞼に接触し瞼が閉じないよう固定し、その状態で目薬液を注すことにより、容易で、且つ、確実に目薬液を眼球に供給することが可能となり、問題を解決している。
【考案の効果】
【０００５】
上述の様に、瞼が閉じないように固定した状態で同時に、目薬液を注すことが可能なため、不器用で目薬液を上手に注す事が出来なかった人、または自分で目薬液を注す事が出来ない乳幼児、身体の不自由な人に対し介護者が、容易で、且つ確実に目薬液を注す事ができる。
【考案を実施するための最良の形態】
【０００６】
本発明品の本体部には目薬容器の供給口が装着でき、且つ目薬液が眼球へ供給できる貫通穴を要し、本体部は複数の弁形状部を要し、弁形状部が瞼に接触した際に、弁形状部と瞼の接触面の摩擦で瞼が閉じないように固定され、瞼を固定された状態で、目薬容器を潰し目薬液を供給すると本体部の貫通穴を通り眼球に、目薬液を供給することが出来る。
【実施例】
【０００７】
以下、添付図に従って一実施例を説明する。初めに、本発明品の構成要素から説明する。１は目薬容器４の目薬供給口４ｂが装着可能な本体部、２は本体部１と一体化しており瞼５と接触時に瞼５が閉じないように固定する、望ましくは弾性材料で製造された弁形状部、３は本体部１に設けられた目薬供給口４ｂが装着可能で、目薬液４ｃを眼球６に供給可能な貫通穴である。
【０００８】
弁形状部２の瞼５との接触面は、瞼５を確実に閉じないよう固定するために、グリップ力が大きな溝形状２ａ、もしくは複数の突起形状２ｂの如き形状の方が、より好ましい。
【０００９】
次に本発明品の使用方法について説明する。本体部１に設けられた貫通穴３に目薬供給口４ｂを装着し、目薬容器部４ａを持った状態にて、顔を略垂直上方に向け目薬液を注したい目を開いた状態にする。その状態で弁形状部２を開いた目の瞼５に、接触させ瞼５が閉じないように固定する。その後、目薬容器部４ａを押し潰し目薬液４ｃを供給し、目薬液４ｃは貫通穴３を通過し、眼球６へと到達する。
【００１０】
本発明の一実施例は上記の如き構成と使用方法からなるものであるから、目薬液を上手く注す事が出来ない人、及び、自分で注せない乳幼児、および身体の不自由な人においても介護者が、片手で容易、且つ確実に目薬液を注すことが可能である。
【００１１】
本発明の実施例形状の応用例として、実施形状が動物のタコに似ていることから、タコの形状にて製造することで、特に乳幼児等の子供に使用する際に恐怖心を和らげることも可能である。
【図面の簡単な説明】
【００１２】
【図１】本発明の目薬注し補助具の実施例を示した図である。
【図２】弁形状部２の瞼５との接触面の実施形状例１である。
【図３】弁形状部２の瞼５との接触面の実施形状例２である。
【図４】目薬容器と本発明の目薬注し補助具の装着前状態を示した図である。
【図５】目薬容器と本発明の目薬注し補助具の装着後状態を示した図である。
【図６】目薬注し補助具を瞼に固定した状態を示した図である。
【図７】目薬液を眼球に供給する状態を示した図である。
【図８】実施形状の応用例として、動物のタコ形状にした図である。
【符号の説明】
【００１３】
１  本体部
２  弁形状部
３  貫通穴
４  目薬容器
５  瞼
６  眼球
【図１】
0003114573.tif 000003
【図２】
0003114573.tif 000004
【図３】
0003114573.tif 000005
【図４】
0003114573.tif 000006
【図５】
0003114573.tif 000007
【図６】
0003114573.tif 000008
【図７】
0003114573.tif 000009
【図８】
0003114573.tif 000010
(57)【要約】【課題】従来の装飾品にはない面白さを有する新規な装飾品を提供する。【解決手段】支持板１と、該支持板１上に所望の文字、記号又は図形を表すように配設された竹片３とよりなることを特徴とする装飾品。支持板１は、好ましくは、木製板とする。竹片３は、丸竹を所望の長さに切断してなるものであっても差し支えないが、丸竹を所望の長さに切断すると共にこれを長さ方向に割ってなるものであってもよい。竹片３は、竹の根部あるいは竹の枝部であってもよい。竹片３は、単数本のみを用いても差し支えないが、多数本を適宜組み合せて配設することが望ましい。竹片３は、支持板１上に直接固定してもよいが、支持板１上に多数本の竹ヒゴ５を固定し、該竹ヒゴ５上に木製板片７を取り付け、該木製板片７上に竹片３を固定してもよい。また、支持板１の縁部に竹製の枠９を額縁状に備えさせてもよい。【選択図】図１
0003114575.tif 000002
【実用新案登録請求の範囲】
【請求項１】
支持板と、該支持板上に所望の文字、記号又は図形を表すように配設された竹片とよりなることを特徴とする装飾品。
【考案の詳細な説明】
【技術分野】
【０００１】
本考案は、装飾品に関するものであり、特に、額入りの絵画、書画等と同様に建物内の部屋、ホール、廊下等に展示される装飾品に係るものである。
【背景技術】
【０００２】
額入りの絵画、書画等の装飾品は、従来より広く知られている。
【０００３】
実用新案登録第３０８０１１９号公報は、木目模様をそのまま残存させた所定形状の天然素材からなる額板と、該額板と同一形状の透明アクリル樹脂板と、該額板の表面側に該透明アクリル樹脂板を固定する固定片とよりなる天然木目模様板額を開示している。
【特許文献１】実用新案登録第３０８０１１９号公報
【考案の開示】
【考案が解決しようとする課題】
【０００４】
上記額入りの絵画、書画及び天然木目模様板額等の装飾品は、それぞれ好ましいものであるが、本考案は、これら従来の装飾品にはない面白さを有する新規な装飾品を提供しようとしてなされたものである。
【課題を解決するための手段】
【０００５】
上記課題を解決するために、本考案は、下記の装飾品を提供する。
【０００６】
支持板と、該支持板上に所望の文字、記号又は図形を表すように配設された竹片とよりなることを特徴とする装飾品。
【考案の効果】
【０００７】
支持板上に配設された竹片は、所望の文字、記号又は図形を立体的に表す。また、竹片は、独特の味わいを備えている。従って、本考案による装飾品は、上記従来の装飾品にない面白味を有するものである。
【考案を実施するための最良の形態】
【０００８】
符号１に示すものは支持板である。
【０００９】
支持板１は、好ましくは、木製板とする。
【００１０】
支持板１上には、文字、記号又は図形を表すように竹片３を配設する。文字、記号又は図形は所望の如何なるものであってもよい。
【００１１】
竹片３は、丸竹を所望の長さに切断してなるものであっても差し支えないが、丸竹を所望の長さに切断すると共にこれを長さ方向に割ってなるものであってもよい。
【００１２】
竹片３は、竹の根部あるいは竹の枝部であってもよく、節部を含むものも好ましく使用される。また、竹片３により表現する文字、記号又は図形に応じて、適宜の種類の竹を選択して使用することができる。更に、竹片３は、変形若しくは変色させたものを使用してもよい。
【００１３】
竹片３は、単数本のみを用いても差し支えないが、多数本を適宜組み合せて配設することが望ましい。
【００１４】
図１に示す事例においては、多数本の竹片３により馬の図形を表している。
【００１５】
図２に示す事例においては、多数本の竹片３により「左馬」と呼ばれる文字を表している。
【００１６】
竹片３は、支持板１上に直接固定してもよいが、図示の事例においては、支持板１上に多数本の竹ヒゴ５を固定し、該竹ヒゴ５上に木製板片７を取り付け、該木製板片７上に竹片３を固定している。
【００１７】
また、図示の事例においては、支持板１の縁部に竹製の枠９を額縁状に備えさせている。
【図面の簡単な説明】
【００１８】
【図１】本考案による装飾品の一例を示す正面図である。
【図２】本考案による装飾品の別の一例を示す正面図である。
【図３】同上装飾品の断面図である。
【符号の説明】
【００１９】
１  支持板
３  竹片
５  竹ヒゴ
７  木製板片
９  枠
【図１】
0003114575.tif 000003
【図２】
0003114575.tif 000004
【図３】
0003114575.tif 000005
(57)【要約】【課題】  ナイフにセラミック刃体を設置し、その刃先部を磨耗し難くすると共に、製造時に嵌合部と接合部の接合を利用し、量産が容易でコスト削減の効果を得ることができるナイフを提供すること。【解決手段】  本考案のナイフは、側縁部に複数の嵌合部を備えた本体と、側縁部に接合部を備えたセラミック刃体と、本体の二面上にそれぞれ設けられる側面板と、を含み、該接合部が本体の各嵌合部と対応して接合され、且つ、該セラミック刃体の別の側縁部に刃先部を設けて成り、これにより該ナイフの刃先部が磨耗し難く、且つ、製造時に量産を容易にし、コスト削減効果が得られる。【選択図】  図１
0003114598.tif 000002
【実用新案登録請求の範囲】
【請求項１】
側縁部に複数の嵌合部を備え、かつ一端に握持部を設置した本体と、
側縁部に該本体の各嵌合部に対応して接合される接合部を備え、かつ別の側縁部に刃先部を設けたセラミック刃体と、
該本体の二面上にそれぞれ設けられる２つの側面板と、を含むナイフ。
【考案の詳細な説明】
【技術分野】
【０００１】
本考案はナイフに関し、詳細には、磨耗し難く、量産に有利でコスト削減効果が得られるナイフに関する。
【背景技術】
【０００２】
一般的な従来のナイフは、ステンレス高温鍛造で形成され、使用者はその刃先部を利用して切断を行うことができる。しかしながら、ステンレスでナイフを製造するとき、刃先部分が薄いため、硬度が若干不足したり、耐摩耗性に欠けることがあり、また、一定時間使用すると刃先が欠けてしまったり、滑りや鈍さが生じ、該ナイフの鋭利さが失われ、切断の動作ができなくなってしまう。
【０００３】
このため、関連業者は精密セラミック製のセラミックナイフを開発しており、このセラミックナイフは上述のステンレスナイフの欠点を改善しているが、セラミックナイフはセラミック粉末から射出成型で製造するか、ダイキャスティングで製造するため、原料コストが高く、また刃先の加工も容易でなく、特に、大型のナイフの製作時にはセラミックナイフの製造コストが高くなり、さらに製造過程において欠陥が発生すると、ナイフ全体を完成することができず廃棄することになり、また、セラミックナイフは刃先が磨耗しにくいが、その硬度が高いため、ぶつけたり地面に落としたりすると亀裂が入ったり、折れてしまったりしやすい。このため、上述のような各種の従来のナイフは、実際の使用上使用者のニーズを満足させるに至っていない。
【考案の開示】
【考案が解決しようとする課題】
【０００４】
本考案の主な目的は、ナイフにセラミック刃体を設置し、その刃先部を磨耗し難くすると共に、製造時に嵌合部と接合部の接合を利用し、量産が容易でコスト削減の効果を得ることができるナイフを提供することである。
【課題を解決するための手段】
【０００５】
上述の目的を達するため、本考案のナイフは、側縁部に複数の嵌合部を備えた本体と、側縁部に接合部を備えたセラミック刃体と、本体の二面上にそれぞれ設置された側面板と、を含み、該接合部は本体の各嵌合部に対応して接合され、且つ、該セラミック刃体の別の側縁部に刃先部を設けることを特徴とする。
【考案を実施するための最良の形態】
【０００６】
図１に本考案の立体分解図、図２に本考案の組立時の状態を示す立体図、図３に本考案の組立後の状態を示す立体外観図、及び図４に本考案の図３におけるＡ−Ａ線の断面図をそれぞれ示す。これらの図に示すように、本考案のナイフは、本体１、セラミック刃体２及び２つの側面板３、３ａから構成され、該ナイフは磨耗が起こり難く、製造時に量産が容易でコスト削減の効果を得ることができるものである。
【０００７】
上述の本体１は、ステンレス又は鋼製材とし、該本体１の側縁部に複数の嵌合部１１を設け、且つ、該本体１の一端に握持部１２を設ける。
【０００８】
該セラミック刃体２の側縁部に上述の本体１の各嵌合部１１に対応して接合される接合部２１を設け、且つ、該セラミック刃体２の別の側縁部に刃先部２２を設ける。
【０００９】
該側面板３、３ａはステンレスまたは鋼製材とし、且つ、該２つの側面板３、３aは上述の本体１の二面上にそれぞれ設けられ、該２つの側面板３、３ａはスポット溶接又は接着剤で接着させる方式で本体１と結合させることができる。上述の構造により新しい形態のナイフが構成される。
【００１０】
本考案の組立時には、まず、側面板３をスポット溶接又は接着剤で接着し、本体１の一面に結合させ、その後、さらに該セラミック刃体２の側縁部の接合部２１と本体１の各嵌合部１１を対応させて接合し、接着剤で接着し、最後に別の側面板３ａをスポット溶接又は接着剤で接着して本体１の別の一面に結合させ、２つの側面板３、３ａと本体１を結合させた後、該２つの側面板３、３ａの端縁部は本体１の嵌合部１１端縁部と同一の平面上に位置づけ、本体１とセラミック刃体２の嵌合部１１及び接合部２１が２つの側面板３、３ａの間に制限される。これによりナイフの組立が完了し、使用者は該握持部１２を握り、該セラミック刃体２の別の側縁部の刃先部２２で物品に対し切断動作を行うことができる。
【００１１】
上述のように、本考案のナイフは効果的に従来品の欠点を改善することができ、ナイフはセラミック刃体の設置によりその刃先部が磨耗し難く、且つ、製造時には嵌合部と接合部の接合を利用し、量産が容易で製造コスト削減の効果も得られる。本考案は進歩性と実用性を兼ね備え、使用者のニーズを満たすものであるため、実用新案登録要件を満足しており、実用新案法に基づきここに実用新案登録を出願するものである。
【００１２】
以上の説明は、本考案の最良の実施例に基づくものであり、本考案の実施の範囲を制限するものではなく、本考案の特許範囲及び明細書の内容に基づく簡単な同等効果を得る変化や就職はすべて本考案の特許の範囲に含まれるものとみなす。
【図面の簡単な説明】
【００１３】
【図１】本考案の立体分解図である。
【図２】本考案の組立時の状態を示す立体図である。
【図３】本考案の組立後の状態を示す立体外観図である。
【図４】図３のＡ−Ａ線による断面図である。
【符号の説明】
【００１４】
１  本体
２  セラミック刃体
３、３a  側面板
１１  嵌合部
１２  握持部
２１  接合部
２２  刃先部
【図１】
0003114598.tif 000003
【図２】
0003114598.tif 000004
【図３】
0003114598.tif 000005
【図４】
0003114598.tif 000006
(57)【要約】【課題】  課題を解決する為に、この考案は施工性、保守性・点検性、耐久性、経済性等に優れ、注意を喚起する発光型多目的タイルを開発・提供する事にある。【解決手段】  この課題を解決する為の手段として、人道や、地下道や、病院の床や、田舎のプラットホームや、ビルの壁面等に使用する注意喚起用タイルであって、該タイルは、タイル本体の表面部に畜光材を塗布し、且つ、該畜光材の上面部にコーティング材を被覆して成る事を特徴とする発光型タイルから構成される。【選択図】  図１
0003114593.tif 000002
【実用新案登録請求の範囲】
【請求項１】
人道や、地下道や、病院の床や、田舎のプラットホームや、ビルの壁面等に使用する注意喚起用タイルであって、該タイルは、タイル本体（Ｔ）の表面部に畜光材（Ｘ）を塗布し、且つ、該畜光材（Ｘ）の上面部にコーティング材（ＣＭ）を被覆して成る事を特徴とする発光型多目的タイル。
【考案の詳細な説明】
【技術分野】
【０００１】
この考案は、人道や、地下道や、病院の床や、田舎の光の取れない狭い路地や、田舎駅のプラットホームや、ビルの壁面等に使用して注意を喚起する発光型多目的タイルに関するものである。
【背景技術】
【０００２】
従来、人道や、地下道や、病院や、田舎の光の取れない狭い路地や、田舎駅のプラットホームや、ビルの壁面等人通りの多い場所には注意を喚起する為の発光機能を持つ発光タイルを使用している所が多く成っている。しかし、従来の発光タイルは、透明なプレート状タイル面部の裏側に小型の蛍光灯が設置された構成となっており、施工の際には蛍光灯と外部電源との間の配線が同時に行われる。そして、夜間は外部電源から配線経由で供給される電力で蛍光灯が点灯し、闇の中にタイルが光って浮かび上がって見える事から、発光タイルは、夜間の景観を高めたり、夜間の行動の目印と成る事で大いに役立っている。
【０００３】
しかしながら、従来の発光タイルの場合は、施工・保守性や意匠性或いは非常時の対応性が不十分であるという問題があった。
【０００４】
又、近年では発光電力発生用の太陽電池と、電力蓄積用の電気二重層コンデンサと、面状発光部の点灯制御を司る発光制御回路等が設けられていて、昼間は太陽電池の電力がコンデンサに蓄積され、夜間は電気二重層コンデンサの蓄積電力で面状発光部の発光面が自動的に発光してタイルを光らす構成を備えたものが出願され商品化されている。（特許文献１参照。）
【０００５】
【特許文献１】特開２０００−２９０９４５
【０００６】
ところが、上記の太陽電池式発光タイルも半永久的なものではなく、耐久性や保守・点検性・経済性等改善する要素が多く問題がある。
【考案の開示】
【考案が解決しようとする課題】
【０００７】
そこで、上記課題を解決する為に、この考案は施工性、保守性・点検性、耐久性、経済性等に優れ、注意を喚起する発光型多目的タイルを開発・提供する事にある。
【課題を解決するための手段】
【０００８】
この課題を解決する為の手段として、タイルは、タイル本体の表面部に畜光材を塗布し、且つ、該畜光材の上面部にコーティング材を被覆して成るものである。
【考案の効果】
【０００９】
この考案の効果として、タイル本体の表面部に畜光材を塗布し、且つ、該畜光材の上面部にコーティング材を被覆する事で、車や歩行者等に注意を喚起すると共に、畜光材を使用する事で、化学的に安定しており、又、無害で耐久性も半永久的で、保守・点検を必要とせず経済的である等、極めて有益なる効果を奏するものである。
【考案を実施するための最良の形態】
【００１０】
この考案の最良の形態として、使用目的・用途に応じた最適な寸法形状に形成し、有効的、且つ、効率良く設置する事が望ましい。
【実施例１】
【００１１】
そこで、この考案の一実施例を図１〜図２に基づいて詳述すると、人道や、地下道や、病院の床や、田舎のプラットホームや、ビルの壁面等に使用する注意喚起用タイルであって、該タイルは、タイル本体（Ｔ）の表面部に畜光材（Ｘ）を塗布し、且つ、該畜光材（Ｘ）の上面部にポリカーボネート等のコーティング材（ＣＭ）を被覆して成る事を特徴とする発光型タイルから構成される。
【００１２】
そして、この考案に使用するタイル本体（Ｔ）の寸法形状及び材質は使用目的・用途に応じた最適な寸法形状・材質を選定して使用する。
【００１３】
又、畜光材（Ｘ）は、自然光の場合、１０分、４０Ｗの蛍光灯で２ｍの高さから３０分くらいで光を蓄える事が出来る。
【００１４】
又、畜光材（Ｘ）の上面部に被覆するコーティング材（ＣＭ）は、堅牢な合成樹脂であるポリカーボネートを使用している。但し、これに限定されることはない。
【００１５】
図３は、この考案の発光型タイルを駅のプラットホーム（ＰＨ）に使用した場合の埋設要領を示す断面図である。
【００１６】
図４は、この考案の発光型タイルを駅のプラットホーム（ＰＨ）に使用した場合の一例であり、乗客等が安全区域外にはみ出さない様、注意喚起用に埋設した場合の斜視図である。
【実施例２】
【００１７】
その他の事例として、上記以外に人道や、地下道や病院の床に設けて歩行経路を示すものや、ビルの壁面等に設けて建物の存在を示したもの等、注意を喚起して安全意識の高揚を図る為に、使用目的・用途に応じて設置する事が出来る。
【産業上の利用可能性】
【００１８】
この考案の発光型タイルは、車や歩行者等に注意を喚起すると共に、畜光材を使用する事で、化学的に安定しており、又、無害で耐久性も半永久的で、保守・点検を必要とせず経済的である為、多くの市場に寄与する点で産業上の利用可能性を有する。
【図面の簡単な説明】
【００１９】
【図１】この考案の一実施例を示し、正面視断面図である。
【図２】この考案の一実施例を示し、側面視断面図である。
【図３】この考案の使用例を示し、埋設要領を示す断面図である。
【図４】この考案の使用例を示し、プラットホームに使用した場合の斜視図である。
【符号の説明】
【００２０】
ＣＭ  コーティング材
Ｔ  タイル
Ｘ  畜光材
ＰＨ  プラットホーム
【図１】
0003114593.tif 000003
【図２】
0003114593.tif 000004
【図３】
0003114593.tif 000005
【図４】
0003114593.tif 000006
(57)【要約】      （修正有）【課題】構造の簡易化を通じ生産費を大幅に節減させると共に、既存のパター・ヘッドにも迅速容易に挿脱できるようにした、非常に合理的な構成のゴルフ・パッティング用練習具を提供する。【解決手段】パッティング１には長い孔１Ａを形成して、孔には弾性バンド３を差し込んで固定し既存のパター・ヘッド２に挿脱できるようにした。【選択図】図１
0003112886.tif 000002
【実用新案登録請求の範囲】
【請求項１】
中間の打撃部が細く形成されたパッティング具（１）において、パッティング具（１）には長い孔（１Ａ）を形成して、前記の孔（１Ａ）にはバンド（３）を差し込んで固定し既存のパター・ヘッド（２）挿脱できるようにしたのを特徴にしたゴルフ・パター用パッティング練習具。
【考案の詳細な説明】
【考案の詳細な説明】
【０００１】
〔考案の目的〕                                                                  
〔考案が属する技術分野およびその分野の従来の技術〕                              
従来のゴルフ・パッティング用練習具はパターの差し込み溝をパター・ヘッドに差し込んで、ボルトで締めて固定させるようになった構造にできていて、構造が複雑で生産費が高くつくと共に外観美が不良で商品の価値が劣る問題があり、別の従来のゴルフ・パッティング用練習具のパター・ヘッドにはＴ型差し込み溝を形成し、パッティング具にはＴ型差し込み突起を形成して、前記のパッティング具のＴ型差し込み突起をパター・ヘッドに形成したＴ型差し込み溝に挿脱させる構造で構成されたのであるから、既存のパター・ヘッドには固定して使用できない問題があった。
【考案が達成しようとする技術的課題】
【０００２】
本考案は上記のような問題点を解決するためパッティング具（１）に孔（１Ａ）を形成し前記の孔（１Ａ）に弾性バンド（３）を固定した構造に構成することにより、構造の簡易化を通じ生産費を大幅に節減させると共に、既存のパター・ヘッド（２）にも迅速容易に挿脱できるようにした、非常に合理的な構成のゴルフ・パッティング用練習具を提供できるようにしたことにその目的がある。
【考案の構成】
【０００３】
以下、本考案を添付図面により詳細に説明すると次のようである。
図１は本考案の本考案の分離斜視図で、
図２は本考案の結合状態の斜視図で
図３は本考案の断面図であり、
図１ないし図３に示されたように、中間の打撃部が細く形成されたパッティング具（１）において、パッティング（１）には長い孔（１Ａ）を形成して、前記の孔（１Ａ）には弾性バンド（３）を差し込んで固定し既存のパター・ヘッド（２）に挿脱できるようにしたのを特徴としている。
【０００４】
未説明符号４はゴルフ・ボールである。
【０００５】
このようにしてできた本考案は弾性バンド（３）を伸びるようにし、パター・ヘッド（２）に差し込んで図２のように固定した状態でパターを左右に揺さぶりゴルフ・ボール（４）を軽く打って、
パッティング具（１）の中央部にこるゴルフ・ボール（４）が的確に当たった時にはゴルフ・ボール（４）は一直線に正しくころがっていき、ゴルフ・ボール（４）がパッティング具（１）の中央に的確に当たっていないときにはゴルフ・ボール（４）は一直線に正しくころがっていかず、横に転がっていくようになる。
【０００６】
これによりゴルフ・ボール（４）がパッティング具（１）の中央に的確に当たっていないことが分かるようになるから、ゴルフ・ボール（４）を的確に当てるための練習を効率的に行うことができるようになり、前記の本考案は価格の低い弾性バンド（３）による非常に簡単な構造で構成したものであるから、生産費の大幅節減ができると共に、既存のパター・ヘッド（２）の大きさに拘わらず、広く挿脱させ便利に使用することができる。パッティング具（１）は合成樹脂もしくは金属の中で、どちらを使用しても良い。そして弾性バンド（３）ゴムに使用してもよい。
〔考案の効果〕
このようにしてできた本考案はパッティング具（１）に孔（１Ａ）を形成し弾性バンド（３）を固定した構造に構成したのであるから構造の簡素化で生産費を大幅節減し、低い価格で広く提供できると共に、既存のパター・ヘッド（２）の大きさに拘わらず、広く使用できる効果がある。
【図面の簡単な説明】
【０００７】
【図１】は本考案の分離斜視図
【図２】は本考案の結合状態の斜視図
【図３】は本考案の断面図（図面の主要部分に対する符号の説明）１;パッティング具１Ａ;孔２;パター・ヘッド３;弾性バンド
【図１】
0003112886.tif 000003
【図２】
0003112886.tif 000004
【図３】
0003112886.tif 000005